(57)【要約】      （修正有）【課題】伸長状態にある利用者の両脚を支持するための伸長可能の椅子組立体を提供すること。【解決手段】椅子組立体は、座と、背もたれと、伸長可能の脚支持装置とを備える。座は前端部と後端部とを有する。背もたれは、座の後端部に接続されている。伸長可能の脚支持装置は座の前端部に据えられ、ベースと、少なくとも１つの伸長フレームと、フレーム駆動装置とを有する。ベースは座の前端部に堅固に据え付けられている。少なくとも１つのフレームはベースに接続されている。フレーム駆動装置はベースに据えられかつ少なくとも１つの伸長フレームをベースに関して枢動させるために少なくとも１つの伸長フレームに接続されている。【選択図】図１
0003170378.tif 000002
【実用新案登録請求の範囲】
【請求項１】
前端部と後端部とを有する座と、
前記座の後端部に接続された背もたれと、
前記座の前端部に据えられた伸長可能の脚支持装置とを含む椅子組立体であって、
前記脚支持装置が、
前記座の前端部に堅固に据え付けられたベースと、
前記ベースに接続された少なくとも１つの伸長フレームと、
前記ベースに関して前記少なくとも１つの伸長フレームを枢動させるために前記ベースに据えられかつ前記少なくとも１つの伸長フレームに接続されたフレーム駆動装置とを含む、椅子組立体。
【請求項２】
前記フレーム駆動装置は、
駆動モータと、
前記駆動モータに接続され、また、前記駆動モータにより駆動されるウォームロッドと、
前記ウォームロッドと噛み合い、また、前記ウォームロッドにより駆動されるウォームギアと、
前記ウォームギアに同軸に据えられたピニオンと、
前記ピニオンと噛み合う駆動ギアと、
前記駆動ギアに同軸に据えられ、前記駆動ギアから突出する枢動ロッドであって、前記少なくとも１つの伸長フレームに堅固に接続された枢動ロッドとを含む、請求項１に記載の椅子組立体。
【請求項３】
前記伸長可能の脚支持装置は、入れ子式に互いに接続された、連続して外側から内側に配列された外伸長フレーム、中間伸長フレーム及び内伸長フレームを含む３つの伸長フレームを有し、
各伸長フレームは前記内伸長フレームから前記外伸長フレームへ漸増する容積を有し、
前記外伸長フレームは前記フレーム駆動装置の枢動ロッドに堅固に接続されている、請求項２に記載の椅子組立体。
【請求項４】
前記外伸長フレームは中間伸長駆動装置を有し、
前記中間駆動装置は、前記外伸長フレームに堅固に据え付けられた中間モータと、
前記中間モータに接続され、また、前記中間モータにより駆動される中間ねじ棒と、
前記中間ねじ棒の周りに回転可能に据えられかつ前記中間伸長フレームに堅固に接続された中間ナットとを含み、
前記中間伸長フレームは内伸長駆動装置を有し、
前記内伸長駆動装置は、前記中間伸長フレームに堅固に据え付けられた内モータと、
前記内モータに接続され、また、前記内モータにより駆動される内ねじ棒と、
前記内ねじ棒の周りに回転可能に据えられかつ前記内伸長フレームに堅固に接続された内ナットとを含む、請求項３に記載の椅子組立体。
【請求項５】
前記外伸長フレームは、２つのサイドパネルであって互いに面する内面を有する２つのサイドパネルと、両サイドパネルの内面にそれぞれ据えられた２つのレールとを有し、
前記中間伸長フレームは、２つのサイドパネルであって互いに面する内面と、互いに相対する外面とを有する２つのサイドパネルと、前記中間伸長フレームの両サイドパネルの外面にそれぞれ据えられかつ前記外伸長フレームの両レールに滑動可能に接続された２つのスライダと、前記中間伸長フレームの両サイドパネルの内面にそれぞれ据えられた２つのレールとを有し、
前記内伸長フレームは、２つのサイドパネルであって互いに相対する外面を有する２つのサイドパネルと、前記内伸長フレームの両サイドパネルの外面にそれぞれ据えられかつ中間伸長フレームの両レールに滑動可能に接続された２つのスライダとを有する、請求項３又は４に記載の椅子組立体。
【請求項６】
前記伸長可能の脚支持装置は、さらに、前記内伸長フレームに枢動するように接続された足支持パネルを有する、請求項３ないし５のいずれか１項に記載の椅子組立体。
【請求項７】
前記内伸長フレームは、さらに、前記内伸長フレームに据えられたパネル駆動装置を有し、前記パネル駆動装置は前記足支持パネルに接続され、また、
前記内伸長フレームに据えられたパネル駆動モータと、
前記駆動モータに接続されまた前記駆動モータにより駆動される駆動プーリと、
前記内伸長フレームに回転可能に据えられた被駆動プーリと、
前記駆動プーリと前記被駆動プーリとの周りに据えられた無端のベルトと、
前記被駆動プーリに同軸に据えられ、前記被駆動プーリから突出する枢軸とを有し、
前記足支持パネルは、２つの端部と、前記足支持パネルの両端部にそれぞれ形成された２つの枢動耳とを有し、両枢動耳の一方が前記パネル駆動装置の枢軸に堅固に接続され、また、他方の枢動耳がピボットにより前記内伸長フレームに枢動するように接続されている、請求項６に記載の椅子組立体。
【請求項８】
前記伸長可能の脚支持装置は、さらに、前記外伸長フレームと前記中間伸長フレームとの間に据えられた中間検出装置を有し、該中間検出装置は、
前記中間伸長フレームに据えられたポテンショメータと、
前記ポテンショメータに接続された検出ギアと、
前記中間伸長フレームに堅固に据え付けられたロッドマウントと、
前記ロッドマウントに回転可能に据え付けられた回転可能ロッドであって前記ロッドマウントの２つの側部からそれぞれ突出する２つの端部を有する回転可能ロッドと、
前記回転可能ロッドの両端部にそれぞれ据えられた第１の端部ギア及び第２の端部ギアであって前記第１の端部ギアが前記検出ギアと噛み合う、第１の端部ギア及び第２の端部ギアと、
前記外伸長フレームに堅固に据え付けられ、前記第２の端部ギアと噛み合うラックとを含む、請求項７に記載の椅子組立体。
【請求項９】
前記伸長可能の脚支持装置は、さらに、前記中間伸長フレームと前記内伸長フレームとの間に据えられた、前記中間検出装置の構成要素と同じ構成要素を有する内検出装置を備える、請求項８に記載の椅子組立体。
【請求項１０】
前記伸長可能の脚支持装置は、さらに、前記外伸長フレームと前記中間伸長フレームとの間に据えられた中間検出装置を備え、該中間検出装置は、
前記中間伸長フレームに据えられたポテンショメータと、
前記ポテンショメータに接続された検出ギアと、
前記中間伸長フレームに堅固に据え付けられたロッドマウントと、
前記ロッドマウントに回転可能に据え付けられた、前記ロッドマウントの２つの側部からそれぞれ突出する２つの回転可能ロッドと、
前記回転可能ロッドの両端部にそれぞれ据えられた第１の端部ギア及び第２の端部ギアであって、前記第１の端部ギアが前記検出ギアと噛み合う、第１の端部ギア及び第２の端部ギアと、
前記外伸長フレームに堅固に据え付けられ、前記第２の端部ギアと噛み合うラックとを含む、請求項３ないし５のいずれか１項に記載の椅子組立体。
【考案の詳細な説明】
【技術分野】
【０００１】
本考案は、椅子、より詳細には、伸長状態にある使用者の両脚を支持するための伸長可能の椅子組立体に関する。
【背景技術】
【０００２】
椅子は、その上に座る者がその体重を支えることができるようにする。椅子は、実質的に、座と、座る者の背を支えるための背もたれとを含む。前記背もたれは、座る者の異なる要望を満たすために前記座に対する角度を調整することができる。
【０００３】
しかし、人が椅子に長時間座るとき、例えば長距離走行におかれるとき、従来の椅子に座る者の両脚は長時間にわたる曲げのために疲れ、しびれあるいは痛みを覚える。したがって、従来の椅子は、増進された心地よさを提供するようにより改善されるべきである。
【考案の概要】
【考案が解決しようとする課題】
【０００４】
この不都合を克服するため、本考案は前記した問題を緩和し又は取り除くために伸長可能の椅子組立体を提供することを意図する。本考案の主な目的は、伸長状態にある利用者の両脚を支持するための伸長可能の椅子組立体を提供することにある。
【課題を解決するための手段】
【０００５】
前記椅子組立体は、座と、背もたれと、伸長可能の脚支持装置とを含む。前記座は、前端部と後端部とを有する。前記背もたれは前記座の後端部に接続されている。前記伸長可能の脚支持装置は前記座の前端部に据えられ、ベースと、少なくとも１つの伸長フレームと、フレーム駆動装置とを有する。前記ベースは前記座の前端部に堅固に据え付けられている。前記少なくとも１つの伸長フレームは、前記ベースに接続されている。前記フレーム駆動装置は前記ベースに据えられ、また、前記ベースに関して前記少なくとも１つの伸長フレームを枢動させるために前記少なくとも１つの伸長フレームに接続されている。
【０００６】
本考案の他の目的、利点及び新規な特徴は、添付図面を併用して理解する以下の詳細な説明からさらに明らかとなろう。
【図面の簡単な説明】
【０００７】
【図１】本考案に係る伸長可能の椅子組立体の斜視図である。
【図２】伸長状態にある、図１の椅子組立体の伸長可能の脚支持装置の斜視図である。
【図３】図１の椅子組立体のフレーム駆動装置の拡大斜視図である。
【図４】図１の椅子組立体の伸長可能の脚支持装置の部分斜視図である。
【図５】図１の椅子組立体のパネル駆動装置の拡大斜視図である。
【図６】図１の椅子組立体の検出装置の拡大斜視図である。
【図７】図１の椅子組立体の伸長可能の脚支持装置の作動側面図である。
【図８】伸長状態にある図１の椅子組立体の伸長可能の脚支持装置の側面図である。
【考案を実施するための形態】
【０００８】
図１及び図２を参照すると、本考案に係る伸長可能の椅子組立体は、座１０と、背もたれ２０と、伸長可能の脚支持装置３０とを含む。座１０は、前端部と、後端部とを有する。背もたれ２０は、座１０の前記後端部に接続されている。
【０００９】
伸長可能の脚支持装置３０は座１０の前記前端部に据えられ、また、ベース３１と、少なくとも１つの伸長フレーム３３、３３Ａ、３３Ｂと、フレーム駆動装置３２とを含む。ベース３１は、座１０の前記前端部に堅固に据え付けられている。少なくとも１つの伸長フレーム３３、３３Ａ、３３Ｂは、ベース３１に接続されている。好ましくは、３つの伸長フレーム３３、３３Ａ、３３Ｂは、互いに、入れ子式に接続されており、連続して外側から内側に配列された外伸長フレーム３３と、中間伸長フレーム３３Ａと、内伸長フレーム３３Ｂとを含む。各伸長フレーム３３、３３Ａ、３３Ｂは、内伸長フレーム３３Ｂから外伸長フレーム３３へ次第に増大する容積を有し、その結果、より小さい伸長フレーム３３Ａ、３３Ｂがより大きい伸長フレーム３３、３３Ａ内に据えられている。加えて、各伸長フレーム３３、３３Ａ、３３Ｂは、２つのサイドパネル３３２、３３２Ａ、３３２Ｂと、リアパネル３３１、３３１Ａ、３３１Ｂと、開放フロントパネルとを有する。各サイドパネル３３２、３３２Ａ、３３２Ｂは、互いに面する内面と、互いに相対する外面とを有する。外伸長フレーム３３のリアパネル３３１はベース３１に枢動可能に接続されている。
【００１０】
フレーム駆動装置３２はベース３１上に据えられ、また、ベース３１に関して少なくとも１つの伸長フレーム３３、３３Ａ、３３Ｂを枢動させるために少なくとも１つの伸長フレーム３３、３３Ａ、３３Ｂに接続されている。図３をさらに参照すると、フレーム駆動装置３２は駆動モータ３２１と、ウォームロッド３２２と、ウォームギア３２３と、ピニオン３２４と、駆動ギア３２５と、枢動ロッド３２６とを含む。駆動モータ３２１はベース３１に堅固に据え付けられている。ウォームロッド３２２は駆動モータ３２１に接続されかつ駆動される。ウォームギア３２３はウォームロッド３２２に噛み合わされかつ駆動される。ピニオン３２４はウォームギア３２３に同軸に据え付けられている。駆動ギア３２５はピニオン３２５と噛み合う。枢動ロッド３２６は駆動ギア３２５に同軸に据え付けられ、駆動ギア３２５から突出しており、また、少なくとも１つの伸長フレーム３３、３３Ａ、３３Ｂに堅固に接続され、好ましくは外伸長フレーム３３のリアパネル３３１に堅固に接続されている。
【００１１】
さらに、図４を参照すると、外伸長フレーム３３は中間伸長駆動装置３３３を有し、該中間伸長駆動装置は中間モータ３３４と、中間ねじ棒３３５と、中間ナット３３６とを含む。中間モータ３３４は、外伸長フレーム３３のリアパネル３３１に堅固に据え付けられている。中間ねじ棒３３５は、中間モータ３３４に接続されかつ駆動される。中間ナット３３６は、中間ねじ棒３３５の周りに回転可能に据えられ、また中間伸長フレーム３３Ａのリアパネル３３１Ａに堅固に据え付けられている。
【００１２】
中間伸長フレーム３３Ａは内伸長駆動装置３３３Ａを有し、該内伸長駆動装置は内モータ３３４Ａと、内ねじ棒３３５Ａと、内ナット３３６Ａとを含む。内モータ３３４Ａは、中間伸長フレーム３３Ａのリアパネル３３１Ａに堅固に据え付けられている。内ねじ棒３３５Ａは、内モータ３３４Ａに連結されかつ駆動される。内ナット３３６Ａは内ねじ棒３３５Ａの周りに回転可能に据えられ、かつ内伸長フレーム３３Ｂのリアパネル３３１Ｂに堅固に接続されている。
【００１３】
加えて、外伸長フレーム３３は、両サイドパネル３３２の内面にそれぞれ据えられた２つのレール３３７を有する。中間伸長フレーム３３Ａは、２つのスライダ３３８Ａと、２つのレール３３７Ａとを有する。両スライダ３３８Ａは、それぞれ、中間伸長フレーム３３Ａの両サイドパネル３３２Ａの外面に据えられ、また外伸長フレーム３３に両レール３３７により滑動可能に接続されている。両レール３３８Ａは、それぞれ、中間伸長フレーム３３Ａの両サイドパネル３３２Ａの外面に据えられている。内伸長フレーム３３Ｂは、内伸長フレーム３３Ｂの両サイドパネル３３２Ｂの外面にそれぞれ据えられかつ中間伸長フレーム３３Ａに両レール３３７Ａにより滑動可能に接続されたた２つのスライダ３３８Ｂを有する。
【００１４】
さらに、図５を参照すると、伸長可能の脚支持装置３０は、さらに、内伸長フレーム３３Ｂに枢着された足支持パネル３４を有する。パネル駆動装置３３３Ｂが内伸長フレーム３３Ｂに据えられ、足支持パネル３４に接続され、また、パネル駆動モータ３３４Ｂと、駆動プーリ３３４１Ｂと、被駆動プーリ３３５Ｂと、ベルト３３６Ｂと、枢軸３３５１Ｂとを有する。パネル駆動モータ３３４Ｂは、内伸長フレーム３３Ｂのリアパネル３３１Ｂに据えられている。駆動プーリ３３４１Ｂは、パネル駆動モータ３３４Ｂに接続されかつパネル駆動モータ３３４Ｂにより駆動される。被駆動プーリ３３５Ｂは、内伸長フレーム３３Ｂに回転可能に据えられている。ベルト３３６Ｂは、駆動プーリ３３４１Ｂと被駆動プーリ３３５Ｂとの周りに無端状に据えられている。枢軸３３５１Ｂは、被駆動プーリ３３５Ｂに同軸に形成され、被駆動プーリ３３５Ｂから突出している。加えて、足支持パネル３４は、２つの端部と、足支持パネル３４の両端部にそれぞれ形成された２つの枢動耳３４１とを有する。両枢動耳３４１の一方がパネル駆動装置３３３Ｂの枢軸３３４１Ｂに堅固に接続され、また、他方の枢動耳３４１がピボットにより内伸長フレーム３３Ｂのリアパネル３３１Ｂに枢着されている。
【００１５】
図４及び図６を参照すると、伸長可能の脚支持装置３０は、さらに、外伸長フレーム３３と中間伸長フレーム３３Ａとの間に据えられた、ポテンショメータ４１と、検出ギア４１１と、ロッドマウント４２と、回転可能ロッド４２１と、２つの端部ギア４２２、４２２Ａと、ラック４３とを含む中間検出装置４０を有する。ポテンショメータ４１は、中間伸長フレーム３３Ａの両サイドパネル３３２Ａの一方に据えられている。検出ギア４１１は、ポテンショメータ４１に据えられかつこれに接続されている。ロッドマウント４２は、中間伸長フレーム３３Ａのサイドパネル３３２Ａに堅固に据え付けられている。回転可能ロッド４２１は、ロッドマウント４２に回転可能に据えられ、また、ロッドマウント４２の２つの側部からそれぞれ突出する２つの端部を有する。端部ギア４２２、４２２Ａは、第１の端部ギア４４２と第２の端部ギア４２２Ａとを含み、また、それぞれ、回転可能ロッド４２１の両端部に据え付けられている。第１の端部ギア４２２は検出ギア４１１と噛み合う。ラック４３は、外伸長フレーム３３に堅固に据え付けられ、第２の端部ギア４２２Ａと噛み合う。
【００１６】
加えて、内検出装置が中間伸長フレーム３３Ａと内伸長フレーム３３Ｂとの間に据えられ、前記内検出装置は中間検出装置４０の構成要素と同じ構成要素を有する。
【００１７】
図２及び図７を参照すると、脚支持装置３０を伸長させるために駆動モータ３２１にスイッチが入れられ、駆動モータ３２１がウォームロッド３２２を回転駆動し、また、外伸長フレーム３２が、ウォームギア３２３、ピニオン３２４、駆動ギア４２５及び枢動ロッド３２６の伝達により、ベース３１に関して枢動することができる。
【００１８】
図４を参照すると、中間モータ３３４にスイッチが入れられるとき、中間ねじ棒３３５が回転され、中間ナット３３６が、中間ねじ棒３３５と中間ナット３３６との間のねじ係合により中間ねじ棒３３５に沿って移動される。これにより、中間伸長フレーム３３Ａが外伸長フレーム３３から伸長するように移動される。加えて、外及び中間の両伸長フレーム３３、３３Ａ間のレール３３７及びスライダ３３８Ａの配列により、中間伸長フレーム３３Ａの運動は円滑である。
【００１９】
図２を参照すると、同様に、内モータ３３４Ａにスイッチが入れられると、内ねじ棒３３５Ａが回転され、内ナット３３６Ａが、内ねじ棒３３５Ａと内ナット３３６Ａとの間のねじ係合により、内ねじ棒３３５Ａに沿って移動される。これにより、内伸長フレーム３３Ｂが中間伸長フレーム３３Ａから伸長するように移動される。中間及び内の両伸長フレーム３３Ａ、３３Ｂ間のレール３３７Ａ及びスライダ３３８Ｂの配列により、内伸長フレーム３３Ｂの運動は円滑である。これにより、脚支持装置３０の伸長フレーム３３、３３Ａ、３３Ｂが、伸長状態にある座る者の両脚を支持するように伸長されることが可能である。
【００２０】
図５を参照すると、パネル駆動モータ３３４Ｂにスイッチが入れられると、駆動プーリ３３４１Ｂと、ベルト３３６Ｂと、被駆動プーリ３３５Ｂと、枢軸３３５１Ｂとの伝達により、足支持パネル３４が内伸長フレーム３３Ｂに関して枢動されるようにすることができる。これにより、座る者の両足を足支持パネル３４上に置くことができる。
【００２１】
図６を参照すると、中間伸長フレーム３３Ａが移動され、外伸長フレーム３３から伸長するとき、ロッドマウント４２が中間伸長フレーム３３Ａとともに移動する。その結果として、端部ギア４２２、４２２Ａを有する回転可能ロッド４２１は、ラック４３と第２の端部ギア４２２Ａとの間の係合のために回転され、また、検出ギア４１１が回転される。これにより、ポテンショメータ４１が回転され、ポテンショメータ４１の電気抵抗を変える。ポテンショメータ４１の前記電気的抵抗の変化により、外伸長フレーム３３からの中間伸長フレーム３３Ａの位置が検出されることが可能である。前記内検出装置の動作は、中間検出装置４０の動作と同じであり、省略されている。
【００２２】
図７及び図８を参照すると、外伸長フレーム３３がベース３１に関して水平レベルまで枢動されると、伸長フレーム３３、３３Ａ、３３Ｂが互いに伸長され、前記椅子組立体に座る者の両脚が、伸長されたフレーム上に置かれかつ支持されるようにすることができ、また、座る者の両足が足支持パネル３４上に置かれるようにすることができる。
これにより、座る者の両脚が完全に伸ばされかつ良好に支持され、その結果、前記椅子組立体により提供される快適効果が高められかつ長時間維持される。
加えて、折り畳み可能の脚支持装置３０のための配列及び保管用の空間は、脚支持装置３０が不使用の間は低減することができる。
【００２３】
本考案の多くの特徴及び利点が、本考案の構造及び機能の詳細と共に前述の説明において述べられたが、その開示は説明だけのためにあり、また、変形、特に、部分の形状、サイズ及び配列の事項においては添付の実用新案登録請求の範囲が表されている用語の広い一般的な意味によって示される限り本考案の原理内において、詳細になされる。
【符号の説明】
【００２４】
１０  座
２０  背もたれ
３０  脚支持装置
３１  ベース
３２  フレーム駆動装置
３３、３３Ａ、３３Ｂ  外伸長フレーム、中間伸長フレーム及び内伸長フレーム
３４  足支持パネル
４０  中間検出装置
４１  ポテンショメータ
４２  ロッドマウント
４３  ラック
【図１】
0003170378.tif 000003
【図２】
0003170378.tif 000004
【図３】
0003170378.tif 000005
【図４】
0003170378.tif 000006
【図５】
0003170378.tif 000007
【図６】
0003170378.tif 000008
【図７】
0003170378.tif 000009
【図８】
0003170378.tif 000010